(57)【要約】【課題】複数枚の印刷物を作成する作業効率を向上させることができる画像形成装置を提供する。【解決手段】画像形成装置１００は、外部装置Ｇと接続する。外部装置Ｇは、複数の第１ユーザーの顔貌を示す第１顔情報と複数の第１ユーザーの属性を示す属性情報とを関連付けて記憶する。画像形成装置１００は、印刷部、制御部、及び記憶部を備える。制御部は、第２ユーザーの顔貌を示す第２顔情報を取得する。記憶部は、雛形の画像を示す雛形画像のデータを記憶する。制御部は、第１顔情報の中から、第２顔情報と一致する第１顔情報を探索し、第２顔情報と一致する第１顔情報に関連付けられた属性情報を取得する。制御部は、属性情報を示す属性情報画像と雛形画像とを複数の第２ユーザー毎に合成した合成画像を示す合成画像データを生成する。印刷部は、合成画像データに基づいて、複数の第２ユーザー毎に合成した合成画像を複数のシートの各々に印刷する。【選択図】図１
2020010134.tif 000002
【特許請求の範囲】
【請求項１】
複数の第１ユーザーの顔貌を示す第１顔情報と前記複数の第１ユーザーの属性を示す属性情報とを関連付けて記憶する外部装置と接続する画像形成装置であって、
複数のシートの各々に印刷を実行する印刷部と、
複数の第２ユーザーの顔貌を示す第２顔情報を取得する制御部と、
雛形の画像を示す雛形画像のデータを記憶する記憶部と
を備え、
前記制御部は、前記第１顔情報の中から、前記第２顔情報と一致する前記第１顔情報を探索し、前記第２顔情報と一致する前記第１顔情報に関連付けられた前記属性情報を取得し、前記第２顔情報と一致する前記第１顔情報に関連付けられた前記属性情報を示す属性情報画像と前記雛形画像とを前記複数の第２ユーザー毎に合成した合成画像を示す合成画像データを生成し、
前記印刷部は、前記合成画像データに基づいて、前記複数の第２ユーザー毎に合成した前記合成画像を前記複数のシートの各々に印刷する、画像形成装置。
【請求項２】
前記属性情報は、複数の項目に対応する情報を含み、
前記合成画像は、前記複数の項目に対応する情報を示す画像を含む、請求項１に記載の画像形成装置。
【請求項３】
画像を読み取って、前記画像のデータを生成する読取装置を更に備え、
前記読取装置は、前記第２ユーザーの顔貌を示す顔画像を読み取って、前記顔画像のデータを生成し、
前記制御部は、前記顔画像のデータを前記第２顔情報として取得する、請求項１又は請求項２に記載の画像形成装置。
【請求項４】
データを受信する通信機器を更に備え、
前記通信機器は、前記第２ユーザーの顔貌を示す顔画像のデータを受信し、
前記制御部は、前記第２ユーザーを示す顔画像のデータを前記第２顔情報として取得する、請求項１〜請求項３のいずれか１項に記載の画像形成装置。
【請求項５】
前記制御部は、インターネットを介して、前記外部装置から前記属性情報を取得する、請求項１〜請求項４のいずれか１項に記載の画像形成装置。
【請求項６】
前記外部装置は、ＳＮＳ（Ｓｏｃｉａｌ  Ｎｅｔｗｏｒｋｉｎｇ  Ｓｅｒｖｉｃｅ）を構成するサーバーである、請求項１〜請求項５のいずれか１項に記載の画像形成装置。
【発明の詳細な説明】
【技術分野】
【０００１】
本発明は、画像形成装置に関する。
【背景技術】
【０００２】
複数枚の印刷物を作成する手間を低減させる画像形成装置が開示されている。例えば、特許文献１には、証明書のような、名前部分の記載が異なり、他の部分の記載が共通する印刷物を複数作成するための画像形成装置が開示されている。詳しくは、特許文献１に開示の画像形成装置は、画像読取部、データ記憶部、及び制御部を備える。画像読取部は、雛形である原稿を読み取る。制御部は、データ記憶部に記憶された制御プログラムを実行することにより、データ変換部、原稿画像受付部、合成領域受付部、及び画像作成部として機能する。
【０００３】
データ変換部は、複数のオブジェクトを示す情報を生成する。オブジェクトは、例えば、氏名である。オブジェクトを示す情報は、ユーザーによって入力される。原稿画像受付部は、雛形の指定を受け付ける。合成領域受付部は、雛形におけるオブジェクト合成領域の指定を受け付ける。画像作成部は、出力用合成画像を複数生成する。出力用合成画像は、オブジェクト画像をオブジェクト合成領域に合成した画像を示す。オブジェクト画像は、複数のオブジェクトの各々に対応するオブジェクト情報から生成される。画像形成部は、画像作成部によって作成された複数の出力用合成画像の各々を複数の記録紙に印刷する。
【先行技術文献】
【特許文献】
【０００４】
【特許文献１】特開２０１８−３８００７号公報
【発明の概要】
【発明が解決しようとする課題】
【０００５】
しかしながら、特許文献１に開示の画像形成装置では、ユーザーは、パーソナルコンピューターを操作して、複数のオブジェクト（名前）を１文字ずつ入力する必要がある。したがって、複数の印刷物を作成する作業の効率が低下する。
【０００６】
本発明は、上記課題に鑑み、複数の印刷物を作成する作業効率を向上させることができる画像形成装置を提供することを目的とする。
【課題を解決するための手段】
【０００７】
本発明に係る画像形成装置は、外部装置と接続する。外部装置は、複数の第１ユーザーの顔貌を示す第１顔情報と前記複数の第１ユーザーの属性を示す属性情報とを関連付けて記憶する。当該画像形成装置は、印刷部と、制御部と、記憶部とを備える。前記印刷部は、複数のシートの各々に印刷を実行する。前記制御部は、複数の第２ユーザーの顔貌を示す第２顔情報を取得する。前記記憶部は、雛形の画像を示す雛形画像のデータを記憶する。前記制御部は、前記第１顔情報の中から、前記第２顔情報と一致する前記第１顔情報を探索する。前記制御部は、前記第２顔情報と一致する前記第１顔情報に関連付けられた前記属性情報を取得する。前記制御部は、前記属性情報を示す属性情報画像と前記雛形画像とを前記複数の第２ユーザー毎に合成した合成画像を示す合成画像データを生成する。前記印刷部は、前記合成画像データに基づいて、前記複数の第２ユーザー毎に合成した前記合成画像を複数のシートの各々に印刷する。
【発明の効果】
【０００８】
本発明の画像形成装置によれば、複数の印刷物を作成する作業効率を向上させることができる。
【図面の簡単な説明】
【０００９】
【図１】本発明の実施形態に係る画像形成装置の構成を示す図である。
【図２】本発明の実施形態に係る雛形の一例を示す図である。
【図３】本発明の実施形態に係る画像形成装置の構成を示す図である。
【図４】本発明の実施形態に係る画像形成装置の構成を示すブロック図である。
【図５】本発明の実施形態に係る文書作成処理を示すフローチャートである。
【図６】本発明の実施形態に係る情報収集処理を示すフローチャートである。
【図７】本発明の実施形態に係る合成文書の一例を示す図である。
【図８】本発明の実施形態に係る画像形成装置の変形例を示す図である。
【発明を実施するための形態】
【００１０】
以下、図面を参照して、本発明に係る画像形成装置の実施形態について説明する。なお、図中、同一又は相当部分については同一の参照符号を付して説明を繰り返さない。
【００１１】
まず、図１を参照して、本発明の実施形態に係る画像形成装置１００の構成について説明する。図１は、本実施形態に係る画像形成装置１００の構成を示す図である。
【００１２】
図１に示すように、画像形成装置１００は、インターネットなどのネットワークＮを介して外部装置Ｇと接続する。本実施形態において、画像形成装置１００は、複数の外部装置Ｇと接続する。本実施形態において、複数の外部装置Ｇの各々は、サーバーである。各外部装置Ｇは、例えば、ＳＮＳ（Ｓｏｃｉａｌ  Ｎｅｔｗｏｒｋｉｎｇ  Ｓｅｒｖｉｃｅ）を構成するサーバーである。
【００１３】
各外部装置Ｇが有する記憶領域には、その外部装置Ｇが提供するサービスを利用する複数のユーザーに関する情報が記憶される。ユーザーに関する情報は、顔情報と属性情報とを含む。顔情報と属性情報とは関連付けて記憶される。
【００１４】
顔情報は、ユーザーの顔貌を示す。属性情報は、ユーザーの属性を示す。詳しくは、属性情報は、複数の項目に対応する情報を含む。複数の項目は、例えば、氏名、生年月日、及び性別である。以下では、顔情報と属性情報とが外部装置Ｇに記憶されているユーザーを「第１ユーザー」と記載する。また、第１ユーザーの顔情報を「第１顔情報」と記載する。
【００１５】
画像形成装置１００は、第１ユーザーのうち、所定の条件を満たす第１ユーザーの属性情報に基づいて合成文書を複数作成する。画像形成装置１００は、同一の雛形に基づいて合成文書を複数作成する。合成文書は、雛形の画像と、所定の条件を満たす第１ユーザーの属性情報を示す画像とを合成した合成画像によって構成される。本実施形態において、合成文書は、例えば、修了証、証明書、伝票、及び契約書であり、雛形は、例えば、修了証の雛形、証明書の雛形、伝票の雛形、及び契約書の雛形である。
【００１６】
次に、図２を参照して、本発明の実施形態に係る雛形Ｈについて説明する。図２は、本実施形態に係る雛形Ｈの一例を示す図である。図２では、修了証の雛形を例に説明する。なお、図２では、理解を容易にするために、各情報合成領域を破線で示している。各情報合成領域は、情報を示す画像が合成される領域を示す。各情報合成領域には、ユーザーの顔情報を示す画像又はユーザーの属性情報を示す画像が合成される。
【００１７】
図２に示すように、雛形Ｈは、雛形画像ＨＧによって構成される。雛形画像ＨＧは、共通記載事項を示す共通記載画像Ｃを含む。共通記載事項は、同一の雛形に基づいて作成される複数の合成文書の各々に記載される事項のうち、各合成文書の間で共通して記載される事項を示す。図２に示す例において、共通記載画像Ｃは、第１共通記載画像Ｃ１及び第２共通記載画像Ｃ２を含む。第１共通記載画像Ｃ１は「修了証」を示す文字画像であり、第２共通記載画像Ｃ２は、「あなたは○○の研修の全過程を修了したことを証します。」を示す文字画像である。
【００１８】
また、雛形画像ＨＧは、複数の情報合成領域を含む。詳しくは、雛形画像ＨＧは、顔情報合成領域Ｆ１、氏名情報合成領域Ｆ２、生年月日情報合成領域Ｆ３、及び性別情報合成領域Ｆ４を含む。顔情報合成領域Ｆ１には、顔情報を示す画像が合成される。氏名情報合成領域Ｆ２には、氏名情報を示す画像が合成される。生年月日情報合成領域Ｆ３には、生年月日を示す画像が合成される。性別情報合成領域Ｆ４には、性別情報を示す画像が合成される。
【００１９】
次に、図３を参照して、本発明の実施形態に係る画像形成装置１００の構成を説明する。図３は、本実施形態に係る画像形成装置１００の構成を示す図である。本実施形態において、画像形成装置１００は、複合機である。
【００２０】
図３に示すように、画像形成装置１００は、筐体１、操作部２、原稿搬送装置３、原稿読取装置４、給紙部５、シート搬送部６、印刷部７、排出部８、及び排出トレイ１ｔを備える。筐体１は、給紙部５、シート搬送部６、及び印刷部７を収容する。なお、原稿読取装置４は、読取装置の一例である。
【００２１】
操作部２は、作業者からの画像形成装置１００に対する指示（入力）を受け付ける。操作部２は、作業者からの指示を受け付けると、作業者からの指示を示す信号を出力する。本実施形態において、操作部２は、作業者から合成文書の作成指示を受け付ける。
【００２２】
操作部２は、タッチディスプレー２１及び複数の操作キー２２を含む。タッチディスプレー２１は、ディスプレー及びタッチセンサーを含む。ディスプレーは、各種画面を表示する。各種画面は、ホーム画面を含む。ホーム画面は、例えば、各種処理の実行を指示するためのメニューボタンを含む。各種処理は、文書作成処理を含む。ディスプレーは、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。タッチセンサーは、被検知体によるタッチを検知する。タッチセンサーは、被検知体によるタッチを検知した位置を示す検知信号を出力する。被検知体は、例えば、ユーザーの手指である。タッチセンサーは、例えば、抵抗膜方式のタッチセンサーである。複数の操作キー２２は、例えば、テンキー、スタートキー、及びキャンセルキーを含む。
【００２３】
原稿搬送装置３は、原稿Ｄを搬送する。原稿搬送装置３は、原稿載置トレイ３１、原稿搬送部３２、及び原稿排出トレイ３３を備える。原稿搬送部３２は、原稿載置トレイ３１に載置された原稿Ｄを１枚ずつ原稿排出トレイ３３まで読取位置Ｒを経由するように搬送する。読取位置Ｒは、原稿読取装置４が原稿Ｄの画像を読み取ることが可能な位置である。
【００２４】
原稿読取装置４は、複数の原稿Ｄの画像を読み取り、複数の原稿Ｄの画像を示すデータを生成する。本実施形態において、原稿読取装置４は、ユーザーの顔貌を示す顔画像を読み取って、顔画像を示すデータを生成する。顔画像は、例えば、カメラで撮影されたユーザーの顔貌を示す写真である。写真は、例えば、ユーザーの顔貌を正面からカメラで撮影した顔写真である。以下、原稿読取装置４によって読み取られる顔画像のユーザーを「第２ユーザー」と記載する。第２ユーザーは、作業者によって指定される。第２ユーザーは、例えば、作成された合成文書が配布される対象のユーザーである。
【００２５】
原稿読取装置４は、コンタクトガラス４１、及び読取機構４２を備える。読取機構４２は、光源４２１、キャリッジ４２２、光学系４２３、及びＣＣＤ（Ｃｈａｒｇｅ−Ｃｏｕｐｌｅｄ  Ｄｅｖｉｃｅ）イメージセンサー４２４を含む。光源４２１は、キャリッジ４２２に支持される。キャリッジ４２２は、副走査方向Ｓ１に移動する。光源４２１は、副走査方向Ｓ１に移動しながら、コンタクトガラス４１上に載置された原稿Ｄに対して光を照射する。光学系４２３は、原稿Ｄから反射する光をＣＣＤイメージセンサー４２４に導く。ＣＣＤイメージセンサー４２４は、光学系４２３によって導かれた光を電気信号に変換して出力する。詳しくは、ＣＣＤイメージセンサー４２４は、原稿Ｄの画像を示す信号を出力する。なお、原稿搬送装置３によって搬送される原稿Ｄの画像を原稿読取装置４が読み取る場合、光源４２１は、読取位置Ｒを照射する。原稿読取装置４は、例えば、スキャナーである。
【００２６】
給紙部５は、複数のシートＳを収容し、収容された複数のシートＳを一枚ずつ給紙する。シート搬送部６は、給紙されたシートＳを排出部８まで搬送する。シートＳは、例えば、用紙である。
【００２７】
シート搬送部６は、ローラー及びガイド部材を備える。シート搬送部６は、給紙部５から排出部８までシートＳを搬送する。シートＳは、印刷部７を経由するように搬送される。
【００２８】
印刷部７は、複数のシートＳの各々に印刷を実行する。詳しくは、印刷部７は、複数のシートＳの各々に画像を形成する。本実施形態において、印刷部７は、露光装置７１、帯電装置７２、現像装置７３、感光体ドラム７４、転写装置７５、及び定着装置７６を備え、電子写真方式によって画像を形成する。露光装置７１は、画像データに基づいて、感光体ドラム７４に静電潜像を形成する。帯電装置７２は、感光体ドラム７４を所定の電位に均一に帯電させる。現像装置７３は、感光体ドラム７４にトナーを供給し、感光体ドラム７４上に形成された静電潜像を現像する。定着装置７６は、シートＳに転写されたトナー像をシートＳに定着する。
【００２９】
排出部８は、画像が形成されたシートＳを排出トレイ１ｔへ排出する。排出トレイ１ｔは、筐体１の外部に設けられる。
【００３０】
続いて、図１〜図４を参照して、本発明の実施形態に係る画像形成装置１００の構成について更に説明する。図４は、本実施形態に係る画像形成装置１００の構成を示すブロック図である。
【００３１】
図４に示すように、画像形成装置１００は、第１通信機器９、記憶部２０、及び制御部３０を更に備える。
【００３２】
第１通信機器９は、同じ通信方式を利用する通信機器が実装された電子機器との間で通信が可能である。本実施形態において、第１通信機器９は、ＬＡＮ（Ｌｏｃａｌ  Ａｒｅａ  Ｎｅｔｗｏｒｋ）アダプターである。第１通信機器９は、インターネットのようなネットワークＮを介して、複数の外部装置Ｇと接続する（図１参照）。
【００３３】
記憶部２０は、各種のデータを記憶する。記憶部２０は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。
【００３４】
記憶部２０は、雛形画像ＨＧを示す雛形画像データ２０１を記憶する。雛形画像データ２０１は、例えば、図３を参照して説明した原稿読取装置４が原稿Ｄの画像を雛形画像ＨＧとして読み取ることによって生成される。
【００３５】
本実施形態において、雛形画像データ２０１は、図２を参照して説明した各情報合成領域の位置を示す合成位置情報と、情報合成領域に合成される画像の項目を示す合成項目情報とが関連付けられて記憶部２０に記憶されている。合成位置情報は、雛形画像ＨＧにおける複数の情報合成領域（顔情報合成領域Ｆ１、氏名情報合成領域Ｆ２、生年月日情報合成領域Ｆ３、及び性別情報合成領域Ｆ４）のそれぞれの範囲を示す情報である。具体的には、合成位置情報は、雛形画像ＨＧにおける複数の情報合成領域のそれぞれの始点の座標を示す情報及び終点の座標を示す情報である。本実施形態において、雛形画像ＨＧにおいて、各情報合成領域の始点は、各情報合成領域の左上隅を示し、各情報合成領域の終点は、各情報合成領域の右下隅を示す。合成位置情報と、合成項目情報との関連付けは、作業者が、例えば、操作部２を操作することによって設定する。
【００３６】
制御部３０は、ＣＰＵ（Ｃｅｎｔｒａｌ  Ｐｒｏｃｅｓｓｉｎｇ  Ｕｎｉｔ）のようなプロセッサーによって構成される。また、制御部３０は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部３０は、記憶部２０に記憶された制御プログラムを実行することにより、画像形成装置１００の各部の動作を制御する。
【００３７】
制御部３０は、文書作成処理を実行する。文書作成処理において、制御部３０は、合成文書を示す合成文書画像データを生成する。詳しくは、制御部３０は、原稿読取装置４が生成した顔画像を示すデータを第２顔情報として取得する。制御部３０は、第１顔情報の中から、第２顔情報と一致する第１顔情報を探索する。制御部３０は、第１顔情報の中から、第２顔情報と一致する第１顔情報を探知すると、第２顔情報と一致する第１顔情報に関連付けられた属性情報を取得する。
【００３８】
制御部３０は、第２顔情報と一致する第１顔情報に関連付けられた属性情報を取得すると、合成画像データを生成する。合成画像データは、取得した属性情報を示す属性情報画像と雛形画像ＨＧとを合成した合成画像を示す。本実施形態において、作業者は、複数の第２ユーザーの顔画像を原稿読取装置４に読み取らせる。制御部３０は、複数の第２ユーザー毎の合成画像を示す合成画像データを生成する。制御部３０は、生成した合成画像データに基づく印刷を印刷部７に実行させる。この結果、複数の第２ユーザー毎の合成画像が複数のシートＳの各々に形成されて、複数の合成文書が作成される。
【００３９】
続いて、図１〜図５を参照して、本発明の実施形態に係る文書作成処理について説明する。図５は、本実施形態に係る文書作成処理を示すフローチャートである。文書作成処理は、図１を参照して説明したホーム画面において文書作成処理の実行を示すメニューボタンが選択されると開始される。
【００４０】
図５に示すように、制御部３０は、雛形画像データ２０１を取得する（ステップＳ１０１）。本実施形態において、制御部３０は、雛形選択画面をタッチディスプレー２１に表示させる。雛形選択画面は、記憶部２０に記憶された雛形画像データ２０１の中から所望の雛形Ｈに対応する雛形画像データ２０１を選択するためのメニューボタンを含む。作業者は、雛形選択画面に含まれる複数のメニューボタンの中から、所望の雛形Ｈに対応するメニューボタンをタッチすることにより、所望の雛形Ｈを選択する。作業者が雛形Ｈを選択すると、制御部３０は、作業者が選択した雛形Ｈに対応する雛形画像データ２０１を示す信号を操作部２から受信する。制御部３０は、操作部２から受信した信号に基づいて、作業者が選択した雛形Ｈに対応する雛形画像データ２０１を記憶部２０から取得する。
【００４１】
また、制御部３０は、雛形画像データ２０１を取得する際に、雛形画像データ２０１に関連付けられた合成項目情報と合成位置情報とを記憶部２０から取得する。雛形Ｈとして修了証（図２参照）に対応する雛形が選択された場合、合成項目情報は、顔情報、氏名情報、生年月日情報及び性別情報を含む。合成位置情報は、顔情報合成領域Ｆ１、氏名情報合成領域Ｆ２、生年月日情報合成領域Ｆ３、及び性別情報合成領域Ｆ４のそれぞれの範囲を示す情報を含む。
【００４２】
次いで、制御部３０は、第２顔情報を取得する（ステップＳ１０２）。詳しくは、制御部３０は、第２ユーザーの顔貌を示す顔画像を原稿読取装置４に読み取らせることにより、第２顔情報を取得する。制御部３０は、取得した第２顔情報を記憶部２０に記憶させる。
【００４３】
次いで、制御部３０は、情報収集処理を実行する（ステップＳ１０３）。詳しくは、制御部３０は、第２顔情報を取得した第２ユーザーの属性情報を収集する。第２ユーザーの属性情報は、合成文書の作成に利用される。情報収集処理の詳細は、図６を参照して後述する。
【００４４】
次いで、制御部３０は、情報収集処理が正常終了したか否かを判定する（ステップＳ１０４）。制御部３０は、記憶部２０に記憶されている情報収集フラグの値を参照することにより、情報収集処理が正常終了したか否かを判定する。情報収集処理が正常終了した場合、情報収集フラグの値は、「０」を示し、情報収集処理が正常終了しなかった場合、情報収集フラグの値は、「１」を示す。制御部３０は、例えば、外部装置Ｇに記憶されている第１顔情報の中から、取得した第２顔情報と一致する第１顔情報を探知できない場合、情報収集フラグの値を「１」に設定する。なお、情報収集フラグの値は、文書作成処理が終了すると、「０」にリセットされる。
【００４５】
制御部３０は、情報収集処理が正常に終了したと判定すると（ステップＳ１０４：Ｙｅｓ）、合成画像データを生成する（ステップＳ１０５）。次いで、文書作成処理は、ステップＳ１０８へ進む。
【００４６】
一方、制御部３０は、情報収集処理が正常に終了していないと判定すると（ステップＳ１０４：Ｎｏ）、メッセージを作業者に通知する（ステップＳ１０６）。メッセージは、情報が正常に収集できなかった旨を示すエラーメッセージ及び顔情報取得処理をやり直すか否かを作業者に選択させる選択メッセージを含む。本実施形態において、メッセージは、タッチディスプレー２１に表示されることにより、作業者に通知される。
【００４７】
制御部３０は、顔情報取得処理からやり直す旨を作業者が選択したか否かを判定する（ステップＳ１０７）。制御部３０が、顔情報取得処理からやり直す旨を作業者が選択したと判定すると（ステップＳ１０７：Ｙｅｓ）、文書作成処理は、ステップＳ１０２へ戻る。一方、顔情報取得処理からやり直す旨を作業者が選択しなかったと制御部３０が判定した場合（ステップＳ１０７：Ｎｏ）、文書作成処理は、ステップＳ１０８へ進む。
【００４８】
ステップＳ１０８では、制御部３０は、全ての第２ユーザーに対する処理が完了したか否かを判定する。制御部３０は、例えば、処理選択画面をタッチディスプレー２１に表示させる。処理選択画面は、完了メニューボタン及び続行メニューボタンを含む。完了メニューボタンは、全ての第２ユーザーに対する処理が完了した旨を示す。続行メニューボタンは、全ての第２ユーザーに対する処理が完了しておらず、別の第２ユーザーに対する処理を続けて実行する旨を示す。制御部３０は、処理選択画面において、作業者が完了メニューボタン及び続行メニューボタンのいずれを選択したか否かを判定することにより、全ての第２ユーザーに対する処理が完了したか否かを判定する。
【００４９】
制御部３０が全ての第２ユーザーに対する処理が完了していないと判定すると（ステップＳ１０８；Ｎｏ）、文書作成処理は、ステップＳ１０２へ戻る。
【００５０】
一方、制御部３０は、全ての第２ユーザーに対する処理が完了したと判定すると（ステップＳ１０８；Ｙｅｓ）、生成された合成画像データに基づく印刷を印刷部７に実行させて（ステップＳ１０９）、文書作成処理を終了する。なお、本実施形態において、制御部３０は、正常に情報を収集できなかった第２ユーザーに対応する合成画像データは生成しない。したがって、印刷部７は、正常に情報を収集できた第２ユーザーに配布する印刷物のみを印刷する。
【００５１】
制御部３０は、ステップＳ１０２からステップＳ１０８を繰り返し実行することにより、第２ユーザー毎に合成した合成画像を複数のシートＳの各々に形成する。この結果、第２ユーザー毎の合成文書が作成される。
【００５２】
続いて、図６を参照して、本発明の実施形態に係る情報収集処理について説明する。図６は、本実施形態に係る情報収集処理を示すフローチャートである。なお、情報収集処理の開始時において、情報収集フラグの値は、「０」である。
【００５３】
図６に示すように、制御部３０は、第２顔情報と一致する第１顔情報を探索する（ステップＳ２０１）。詳しくは、制御部３０は、複数の外部装置Ｇの中から、第２顔情報と一致する第１顔情報を探索する対象の外部装置Ｇを決定する。以下、第２顔情報と一致する第１顔情報を探索する対象の外部装置Ｇを「探索対象外部装置Ｇ」と記載する。制御部３０は、探索対象外部装置Ｇを決定すると、探索対象外部装置Ｇの記憶領域に記憶される第１顔情報の中から、第２顔情報と一致する第１顔情報を探索する。制御部３０は、既知の顔認証技術を利用して、第１顔情報と第２顔情報とをマッチングすることにより、第２顔情報と一致する第１顔情報を探索する。
【００５４】
次いで、制御部３０は、第２顔情報と一致する第１顔情報に関連付けられた属性情報を取得する（ステップＳ２０２）。詳しくは、制御部３０は、属性情報に含まれる情報の項目のうち、合成項目情報に含まれる情報の項目と一致する項目の情報を取得する。例えば、属性情報に含まれる情報の項目が、氏名、年齢、性別、出生地であるのに対し、合成項目情報に含まれる情報の項目が、氏名、生年月日、性別である場合、制御部３０は、氏名を示す情報、及び性別を示す情報を収集情報として取得する。制御部３０は、収集情報を取得すると、収集情報を記憶部２０に記憶させる。
【００５５】
次いで、制御部３０は、外部装置識別情報を取得する（ステップＳ２０３）。外部装置識別情報は、第２顔情報と一致する第１顔情報を記憶する外部装置Ｇを識別する情報を示す。外部装置識別情報は、収集情報と関連付けて記憶部２０に記憶される。なお、外部装置識別情報及び収集情報は、文書作成処理が終了すると、記憶部２０から削除される。
【００５６】
次いで、制御部３０は、合成項目情報に含まれる項目の情報の全てを取得したか否かを判定する（ステップＳ２０４）。詳しくは、制御部３０は、収集情報に含まれる情報の項目が合成項目情報に含まれる情報の項目の全てと一致するか否かを判定することにより、合成項目情報に含まれる項目の情報の全てを取得したか否かを判定する。例えば、合成項目情報に含まれる情報の項目が、氏名、生年月日、及び性別であるのに対し、収集情報に含まれる情報の項目が、氏名、及び性別である場合、制御部３０は、合成項目情報に含まれる項目の情報の全てを取得していないと判定する（ステップＳ２０４；Ｎｏ）。一方、制御部３０は、合成項目情報に含まれる情報の項目が、氏名、生年月日、及び性別であり、収集情報に含まれる情報の項目が、氏名、生年月日、及び性別である場合、制御部３０は、合成項目情報に含まれる項目の情報の全てを取得したと判定する（ステップＳ２０４；Ｙｅｓ）。
【００５７】
制御部３０は、合成項目情報に含まれる項目の情報の全てを取得したと判定すると（ステップＳ２０４；Ｙｅｓ）、情報収集処理を終了する。
【００５８】
一方、制御部３０は、合成項目情報に含まれる項目の情報のうち、少なくとも１つを取得していないため、合成項目情報に含まれる項目の情報の全てを取得していないと判定すると（ステップＳ２０４；Ｎｏ）、複数の外部装置Ｇの全てを探索対象として決定したか否かを判定する（ステップＳ２０５）。詳しくは、制御部３０は、記憶部２０に記憶された外部装置識別情報を参照することにより、複数の外部装置Ｇの全てを探索対象として決定したか否かを判定する。
【００５９】
制御部３０は、複数の外部装置Ｇの全てを探索対象として決定していないと判定すると（ステップＳ２０５；Ｎｏ）、新たな探索対象外部装置Ｇを決定する（ステップＳ２０６）。詳しくは、制御部３０は、記憶部２０に記憶された外部装置識別情報を参照することにより、複数の外部装置Ｇの中から、探索対象に未だ決定されていない外部装置Ｇを新たな探索対象外部装置Ｇとして決定する。新たな探索対象外部装置Ｇを決定すると、情報収集処理は、ステップＳ２０１へ戻る。
【００６０】
一方、制御部３０は、複数の外部装置Ｇの全てを探索対象として決定したと判定すると（ステップＳ２０５：Ｙｅｓ）、情報収集フラグの値を「１」に変更して（ステップＳ２０７）、情報収集処理を終了する。
【００６１】
次に、図７を参照して、本発明の実施形態に係る合成文書Ｐについて説明する。図７は、本実施形態に係る合成文書Ｐの一例を示す図である。詳しくは、図７は、図２に示す雛形Ｈに対応する合成文書Ｐを示す。
【００６２】
図７に示すように、合成文書Ｐは、合成画像ＰＧによって構成される。合成画像ＰＧは、共通記載画像Ｃと属性情報画像Ｚとが合成された画像である。
【００６３】
図４を参照して説明したのと同様に、共通記載画像Ｃは、第１共通記載画像Ｃ１及び第２共通記載画像Ｃ２を含む。第１共通記載画像Ｃ１は「修了証」を示す文字画像であり、第２共通記載画像Ｃ２は、「あなたは○○の研修の全過程を修了したことを証します。」を示す文字画像である。
【００６４】
属性情報画像Ｚは、顔情報を示す顔画像Ｚ１、氏名情報を示す氏名画像Ｚ２、生年月日情報を示す生年月日画像Ｚ３、及び性別情報を示す性別画像Ｚ４を含む。
【００６５】
顔画像Ｚ１は、作業者が原稿読取装置４に読み取らせた顔画像である。顔画像Ｚ１は、顔情報合成領域Ｆ１に合成（形成）される。氏名画像Ｚ２は、収集情報に含まれる氏名情報を示す画像である。氏名画像Ｚ２は、氏名情報合成領域Ｆ２に合成（形成）される。生年月日画像Ｚ３は、収集情報に含まれる生年月日情報を示す画像である。生年月日画像Ｚ３は、生年月日情報合成領域Ｆ３に合成（形成）される。性別画像Ｚ４は、収集情報に含まれる性別情報を示す画像である。性別画像Ｚ４は、性別情報合成領域Ｆ４に合成（形成）される。図７に示す例において、氏名画像Ｚ２は、「特許  太郎」を示す画像であり、生年月日画像Ｚ３は、「○○○○年○○月○○日」を示す画像であり、性別画像Ｚ４は、「男性」を示す画像である。
【００６６】
以上、本実施形態について説明した。本実施形態によれば、制御部３０は、第２ユーザーの顔貌を示す顔画像を第２顔情報として取得すると、複数の外部装置Ｇの中から第２顔情報と一致する第１顔画像を探索し、第２顔情報と一致する第１顔情報と関連付けられた属性情報を取得する。属性情報は、合成文書Ｐの作成に利用される。したがって、本実施形態によれば、作業者は、第２ユーザーの顔貌を示す顔画像を原稿読取装置４に読み取らせるだけで、第２ユーザーの属性情報を取得することができる。この結果、作業者は、例えば、キーボードのような入力装置を介して属性情報を入力する作業を省略することができる。したがって、複数の合成文書Ｐ（印刷物）を作成する作業効率が向上する。
【００６７】
また、本実施形態において、顔画像Ｚ１は、顔情報合成領域Ｆ１に合成（形成）される。すなわち、第２顔情報（第２ユーザーの顔貌を示す顔画像）は、複数の外部装置Ｇから属性情報を取得することに利用されることに加え、合成文書Ｐの作成にも利用される。即ち、第２顔情報が有効活用される。したがって、作業者は、例えば、合成文書Ｐを配布する対象のユーザーの顔写真を合成文書Ｐに添付する必要が無くなる。よって、修了証などの合成文書Ｐを配布する対象のユーザーの顔写真を添付するような合成文書Ｐ（印刷物）を複数作成する作業効率が向上する。
【００６８】
なお、本実施形態において、画像形成装置１００が複数の外部装置Ｇと接続する構成を説明したが、画像形成装置１００が接続する外部装置Ｇは、１つであってもよい。
【００６９】
また、本実施形態において、作業者は、画像形成装置１００が検索する対象の外部装置Ｇの範囲を予め設定してもよい。この場合、画像形成装置１００は、予め設定された範囲において、探索対象外部装置Ｇを決定する。
【００７０】
また、本実施形態において、読取装置が原稿読取装置４である場合を説明したが、読取装置は、例えば、カメラであってもよい。
【００７１】
また、本実施形態において、第２ユーザーの顔画像が、原稿読取装置４を介して取得される場合を例に説明したが、第２ユーザーの顔画像は、第１通信機器９を介して取得してもよい。詳しくは、第２ユーザーの顔画像は、第１通信機器９と外部装置Ｇとが接続するネットワークＮ（図１参照）に接続するパーソナルコンピューターのような端末から受信してもよい。
【００７２】
あるいは、図８に示すように、画像形成装置１００は、第２通信機器１０を更に備え、制御部３０は、第２通信機器１０を介して、第２ユーザーの顔画像を取得してもよい。図８は、本実施形態に係る画像形成装置１００の変形例を示す図である。
【００７３】
第２通信機器１０は、同じ通信方式を利用する通信機器が実装された電子機器との間で通信が可能である。電子機器は、例えば、ＵＳＢ（Ｕｎｉｖｅｒｓａｌ  Ｓｅｒｉａｌ  Ｂｕｓ）メモリーである。本実施形態において、第２通信機器１０は、ＵＳＢ端子を有する。制御部３０は、ＵＳＢ通信方式を利用して、第２ユーザーの顔画像を電子機器から取得する。
【００７４】
また、本実施形態において、雛形画像データ２０１が原稿読取装置４を介して取得される構成を説明したが、雛形画像データ２０１は、第１通信機器９又は第２通信機器１０を介して取得されてもよい。
【００７５】
以上、本発明の実施形態について、図面（図１〜図８）を参照しながら説明した。但し、本発明は、上記の実施形態に限られるものではなく、その要旨を逸脱しない範囲で種々の態様において実施することが可能である。また、上記の実施形態で示す構成や数値は、一例であって特に限定されるものではなく、本発明の効果から実質的に逸脱しない範囲で種々の変更が可能である。
【００７６】
例えば、本発明の実施形態において、画像形成装置１００が複合機である場合を例に説明したが、画像形成装置１００は、例えば、コピー機又はプリンターであってもよい。
【００７７】
また、本発明の実施形態では、電子写真方式の画像形成装置１００に本発明が適用される場合を例に説明したが、本発明は、例えば、インクジェット方式の画像形成装置にも適用可能である。
【産業上の利用可能性】
【００７８】
本発明は、画像形成装置の分野に有用である。
【符号の説明】
【００７９】
７                印刷部
２０              記憶部
３０              制御部
１００            画像形成装置
【図１】
2020010134.tif 000003
【図２】
2020010134.tif 000004
【図３】
2020010134.tif 000005
【図４】
2020010134.tif 000006
【図５】
2020010134.tif 000007
【図６】
2020010134.tif 000008
【図７】
2020010134.tif 000009
【図８】
2020010134.tif 000010